(57)【要約】【課題】被浴部に着用している靴下等を脱ぐ必要がなく、薄着の状態で、足湯（足温）をオフィス等で手軽にできる身体部分浴器を提供すること。【解決手段】足３２等を温めるため等に使用する身体部分浴器３０。足（脚）挿入部（被浴部囲繞部）となる二枚合わせ状の袋体１２と、シール箱体（熱媒保持部）１４と、袋体１２とシール箱体１４との開口縁相互間を密閉的に塞ぐ天井体１６とを備えている。そして、シール箱体１４には、駆動ユニット１２４の熱媒入口・出口と接続させて温水等の熱媒を循環させる。【選択図】図２
2007275414.tif 000002
【特許請求の範囲】
【請求項１】
身体の一部分（被浴部）を浴させるために使用する身体部分浴器であって、
前記被浴部に略密着して接触可能な可撓性伝熱壁で形成された被浴部囲繞部と、該被浴部囲繞部の被浴部非接触面側に形成される熱媒を保持する熱媒保持部とを備えていることを特徴とする身体部分浴器。
【請求項２】
さらに、前記熱媒保持部に熱媒を循環させる熱媒循環装置を備えていることを特徴とする請求項１記載の身体部分浴器。
【請求項３】
前記熱媒保持部及び／又は前記熱媒循環装置が、さらに、温調手段を備えていることを特徴とする請求項２記載の身体部分浴器。
【請求項４】
前記熱媒が液状又は蒸気状の熱媒であることを特徴とする請求項１、２又は３記載の身体部分浴器。
【請求項５】
前記被浴部囲繞部となる二枚合わせ状の袋体と、前記熱媒保持部となる浴槽と、該浴槽と前記袋体との開口縁相互間を密閉して塞ぐ天井体とを備えていることを特徴とする請求項１〜４のいずれかに記載の身体部分浴器。
【請求項６】
形態保持ケースと、被浴部囲繞部を備え前記形態保持ケースに嵌め込み可能な外面壁部を有する熱媒保持体とを備えていることを特徴とする請求項１〜４のいずれかに記載の身体部分浴器。
【請求項７】
前記被浴部囲繞部が、前記被浴部の身体形状に相似させた１個又は複数個からなるものであることを特徴とする請求項５又は６記載の身体部分浴器。
【請求項８】
前記被浴部の身体形状に相似させた被浴部囲繞部の外側にジャケットが形成されて二重構造とされ、該ジャケットの内部が熱媒保持部とされていることを特徴とする請求項１〜４のいずれかに記載の身体部分浴器。
【請求項９】
前記被浴部が足、脚若しくは下半身、又は、手若しくは腕であることを特徴とする請求項１〜８のいずれかに記載の身体部分浴器。
【発明の詳細な説明】
【技術分野】
【０００１】
本発明は、身体部分浴器に関する。さらに詳しくは、足等の身体の一部（被浴部）を保温浴等させるのに好適な身体部分浴器に関する。
【０００２】
ここでは、被浴部として、主として足湯（足温浴器）の場合を例に採り説明する。本発明の身体部分浴器は、足湯用に限られず、脚や下半身、手、腕、胴、腰、肩、胸、首等の温浴用、さらには、冷浴用やマッサージ用としても使用できる。
【背景技術】
【０００３】
昨今の健康ブームから、足湯が、健康増進、ダイエット、疲労回復、病気治癒（特に自律神経失調症）など種々の効果があるとされ、足温浴器の需要が増大しつつある。
【０００４】
足湯は、全身浴と異なり体力を消耗しないため、高齢者や虚弱体質のものにも適している。
【０００５】
このため、各種足温浴器（足温浴装置、手足温冷浴装置）が提案されている（特許文献１〜５等参照）。
【０００６】
しかし、これらの温浴器は、いずれも、素足で使用する必要がある。このため、オフィス（仕事場）、さらには家庭でも昼間手軽に使用することができない（特に、女性の如く、パンティストッキングを着用しているため）。
【０００７】
なお、電熱器の場合は、靴下等を脱ぐ必要はないが、足湯の如く、水圧（流体圧）を感じられず、また、被浴部との間に空気層が介在するため足温効率（伝熱効率）が良好とは言えない。即ち、直接的に雰囲気温（熱媒温）を知覚できず、隔靴掻痒の感があった。
【特許文献１】特開２００４−２６７３９６公報（要約書等）
【特許文献２】特開２００３−１２６２１５公報（要約書等）
【特許文献３】特開２００１−２３１８３９公報（要約書等）
【特許文献４】特開２００１−２３１８３８公報（要約書等）
【特許文献５】特開平８−５７０１３号公報（要約書等）
【発明の開示】
【発明が解決しようとする課題】
【０００８】
本発明は、上記にかんがみて、足等の被浴部に着用している靴下等を脱ぐ必要がなく、薄着の状態で、足湯（足温）をオフィス等で手軽にでき、さらには、熱媒温を直接的に知覚できる身体部分浴器を提供することを目的（課題）とする。
【課題を解決するための手段】
【０００９】
本発明者は、上記課題を解決するために鋭意開発に努力をした結果、下記構成の身体部分浴器に想到した。
【００１０】
身体の一部分（被浴部）を浴させるために使用する身体部分浴器であって、
前記被浴部に略密着して接触可能な可撓性伝熱壁で形成された被浴部囲繞部と、該被浴部囲繞部の被浴部非接触面側に形成され、熱媒を保持する熱媒保持部とからなる。
【００１１】
可撓性伝熱壁を介して足等の被浴部を温めるため、靴下等を脱ぐ必要がなく、オフィス（仕事場）、さらには家庭でも昼間気軽に足湯（足温浴）ができる。また、可撓性伝熱壁が被浴部に密着して接触可能なため、伝熱効率が良好であるとともに、液圧を感じることができ、本来の足湯に近い状態で、足温浴が可能となる。
【００１２】
そして、熱媒を熱媒保持部に脈動させて流入させれば、熱媒が液状、蒸気状乃至ガス状に関係なく、マッサージ効果も期待できる。
【００１３】
さらに、電源を確保できれば本発明の足温浴器（身体部分浴器）は使用できるため、自動車、航空機、鉄道、船舶等の運輸装置にも搭載可能である。特に、航空機における深部静脈血栓症（エコノミー症候群）対策が容易となる。
【００１４】
上記構成において、通常、さらに、前記熱媒保持部に熱媒を循環させる熱媒循環装置を備え、また、該熱媒循環装置及び／又は前記熱媒保持部が温調手段を備えている。
【００１５】
なお、熱媒は、液状又は蒸気状の熱媒とすることが本発明の効果が顕著となる。熱媒が液状や蒸気状であることによる被浴部の濡れを配慮する必要がなく、かつ、伝熱性が良好で温調も容易となる。
【００１６】
そして、本発明の各態様は、上記構成において、下記のような特徴的構成を有する。
【００１７】
(１) 前記被浴部囲繞部となる二枚合わせ状の袋体と、前記熱媒保持部となる浴槽と、該浴槽と前記袋体との開口縁相互間を密閉して塞ぐ天井体とを備えていることを特徴とする。
【００１８】
（２）形態保持ケースと、前記被浴部囲繞部を備え前記形態保持ケースに嵌め込み可能な立体外面壁部を有する熱媒保持体とを備えていることを特徴とする。
【００１９】
（３）上記（１）、（２）の構成において、前記被浴部囲繞部が、前記被浴部の身体形状に相似させた１個又は複数個からなるものであることを特徴とする。
【００２０】
（４）前記被浴部の身体形状に相似させた被浴部囲繞部の外側にジャケットが形成されて二重構造とされ、該ジャケットの内部が熱媒保持部とされていることを特徴とする。
【００２１】
そして、上記各態様の身体部分浴器は、足、脚若しくは下半身、又は、手若しくは腕などに適用できる。
【発明を実施するための最良の形態】
【００２２】
以下、本発明のいくつかの望ましい実施形態について説明をする。ここでは、熱媒として液状熱媒である温水を主として例に採り説明するが、冷水、蒸気（スチーム）、ガス（温風／冷風）等であってもよい。
【００２３】
（Ａ）実施形態１（図１〜２）
本実施形態は、足（脚）挿入部（被浴部囲繞部）となる二枚合わせ状の袋体１２と、熱媒保持部となるシール箱体（浴槽：止水箱）１４と、袋体１２とシール箱体１４の両者の開口縁相互間を密閉的に塞ぐ天井体１６とを備えている。
【００２４】
そして、具体的には、袋体１２と天井体１６とは、一体成形体で、天井体１６の周縁と該浴槽１４の上端内周縁とは、シールファスナー等で接続され、密閉構造（止水構造）とされている。
【００２５】
ここで、少なくとも二枚あわせ状の袋体１２は、足に密着させる必要があるため、高分子弾性体（ゴム又は熱可塑性エラストマー）製のフィルム乃至シートで形成することが望ましい。ここで、足挿入部となる袋体１２の内側には、マッサージ効果を増大させるために全面又は部分的に無数のいぼ状凸部を形成してもよい。以下の実施形態においても同様である。
【００２６】
天井体１６も、一体成形する場合は、同一材料で袋体より厚肉に形成する。例えば、袋体：０．１〜２ｍｍ（望ましくは０．３〜１ｍｍ）、天井体：１〜５ｍｍ（望ましくは２〜３ｍｍ）とする。液状熱媒の内圧を袋体１２に優先的に作用させ、足に対する密着性を増大させることと、伝熱性の見地からである。なお、別体とする場合は、天井体１６はプラスチックや硬質ゴム等、さらには、断熱性（保温性）の見地から発泡フィルム（シート）や複層シート等であってもよい。
【００２７】
なお、上記シールファスナーとしては、特に限定されないが、特許第２７１４６３５号等に記載されているものを好適に使用できる。以下の実施形態においても同様である。
【００２８】
上記シール箱体１４は、一体成形でも組立て体でもよい。組立て体とするときは、図示しないが、各壁面板を上記シールファスナーとストッパを使用して組み立てる。なお、シール箱体１４の壁面材料は、軽量化及び断熱性の見地から、比重の軽いオレフィン系プラスチック板や発泡プラスチック板で形成することが望ましい。
【００２９】
上記シール箱体１４は熱媒入口２０と熱媒出口２２とを備えている。該熱媒入口・出口２０、２２には、ポンプ及び温調ヒータ（いずれも図示せず）を内蔵した駆動ユニット（熱媒循環装置）２４の吐出口２６及び吸引口２８と可撓性ホース２９、２９を介して接続されている。ここで、熱媒の循環性の見地から、熱媒入口２０は熱媒出口２２より高い位置に形成されている。また、それらの接続は、ワンタッチでできるカプラを介して行うことが望ましい。なお、駆動ユニットの駆動電源は、交流（ＡＣ）電源でもバッテリー電源でもよい。バッテリー電源とした場合は、使用場所を選ばない。なお、温調ヒータ（温調手段）は、駆動ユニット２４内でなくとも浴槽１４にシーズドヒータ等を内設したり、更には、浴槽をパネルヒータで構成したりしてもよい。以下の実施形態においても同様である。
【００３０】
また、上記熱媒は通常、液状熱媒である水を使用するが、足（被浴部）に直接接触しないため、熱媒として使用されている、蓄熱性の良好な油を含む各種有機熱媒（体）を使用可能である。当然、スチームや温ガス等も熱媒として使用可能である。以下の実施形態でも同様である。
【００３１】
有機熱媒体としては、エチレングリコール、アルキルベンゼン、アルキルビフェニル、アルキルナフタレン、水素化テルフェニル、ジアリールアルカンなどを挙げることができる。
【００３２】
上記足温浴器３０の使用態様は、下記の如くである。
【００３３】
先ず、駆動ユニット（熱媒循環装置）２４を起動させ、所定温度（例えば、３５〜５０℃）に温調させた熱媒を、浴槽（シール箱体）１４を充満状態で循環させる。そして、図２に示す如く、足３２を袋体１２に挿入して、所定時間（例えば、１０〜３０min）、その状態を維持する。このとき、シール箱体１４の内部は加圧状態となって、袋体１２は足に密着し加圧状態となり熱媒の熱エネルギーは、袋体１２を介して伝導伝熱されて足温（足湯）効果が得られるとともに、ポンプの脈動により、足が刺激されてマッサージ効果も期待できる。なお、ポンプは間欠運転させても勿論よい。また、内圧の強さは、使用部位により異なるが、例えば、足の場合、大気圧より若干高め（例えば、差圧で１〜５０kPa、望ましくは５〜１０kPa）とする。
【００３４】
なお、本実施形態において、図３〜４に示す如く、袋体（足挿入部）１２Ａを複数対（図例では２対）の靴下形状とした足温浴器３０Ａとしてもよい。こうした場合は、足挿入部１２Ａが左右足用として独立しているため、足へのマッサージ効果が向上する。図１〜２と同一部分については、同一図符号を付してある。
【００３５】
（Ｂ）実施形態２（図５〜６）
本実施形態は、組立て箱体（形態保持ケース）１５と、足挿入部（被浴部囲繞部）１２を備え該形態保持ケース１５に嵌め込み着可能な外面壁部１８ａを有する熱媒保持バッグ（熱媒体保持部）１８とを備えたものである。
【００３６】
ここで、熱媒保持バッグ１８は、側壁に熱媒入口２０及び熱媒出口２２を備えている。この熱媒保持バッグ１８は、全体を同一肉厚にしてもよく、また、実施形態１と同様、足挿入部１２以外の部分は、前述と同様厚肉に形成してもよい。
【００３７】
他方、組立て箱体１５は、上記実施形態の如く、シール箱体とする必要はないが、側壁に前記熱媒入口・出口（ノズル）２０、２２に対応したノズル通し孔２１、２３が形成されている。
【００３８】
そして、ノズル通し孔２１、２３に足挿入バッグ１８の熱媒入口・出口（ノズル）２０、２２を臨ませて、熱媒保持バッグ１８を組立て箱体１５に嵌め込んで足温浴器３０Ｂを組み立てる。そして、該足温浴器３０Ｂに実施形態１と同様にして駆動ユニット２４を接続する。
【００３９】
本実施形態の使用態様は、実施形態１と同様である。なお、本実施形態で熱媒保持バッグを、図７に示すように、足挿入部（袋体）１２Ａ、１２Ａを、複数独立の靴下状の熱媒保持バッグ１８Ａとすることも可能である。図５〜６と同一部分については、同一図符号を付してある。
【００４０】
上記各実施形態において、浴槽１４又は組立て箱体１５は矩形箱体としたが、円筒体（楕円、長円を含む。）、多角筒体であってもよい。
【００４１】
（Ｃ）実施形態３（図８）
足（被浴部）の形状に相似させた足挿入部（被浴部囲繞部）１２Ａの外側にジャケット部１３を形成して二重構造とし、ジャケット部１３の内部を熱媒保持部１８Ｂとしたものである。ここで、足挿入部１２Ａは薄肉で軟質の高分子弾性体でジャケット部１３は硬質で厚肉の高分子弾性体で形成する。
【００４２】
ジャケット部１３には、駆動ユニットと接続可能な熱媒入口・出口（カプラ）３４、３６が取り付けられている。
【００４３】
この構成の足温浴器３０Ｃにおいては、ジャケット部１３側に、適宜流路制御リブを設けてもよい。熱媒の循環流がショートパスするのを防止でき、さらには、マッサージ効果の増大も期待できる。
【００４４】
本実施形態も実施形態１と同様であるが、本実施形態の足温浴器３０Ｃは、左右の足の位置関係が自由であり、姿勢が拘束されない。
【００４５】
なお、本実施形態において足温浴器を、図９に示すようなタイツ形態の足温浴器３０Ｄとすることもできる。図８と同一部分については同一図符号を付してある。
【００４６】
また、足挿入部１２Ａの長さは、上記各実施形態では、図例（図９を除く。）では、略膝下（ふくらはぎ）サイズあるが、足（くるぶし）サイズ、脚部（太もも）サイズであってもよい。
【００４７】
上記各実施形態においては、いずれも駆動ユニット２４に、足温浴器の熱媒出入口を連結ホースを介して接続させた例としたが、工場等で常時スチーム乃至温水が供給可能な場合は、それらの供給口と各足温浴器の熱媒入口にホースなどを介してそれらの熱媒を直接供給することも可能である。
【００４８】
さらには、熱媒は必ずしも循環させる必然性はない。例えば、熱媒保持部に加圧手段（加圧ポンプ等）を接続し、該加圧保持部を適宜加圧して、被浴部囲繞壁の可撓性伝熱壁を被浴部に加圧乃至密着させる構成としてもよい。
【図面の簡単な説明】
【００４９】
【図１】本発明の足温浴器の実施形態１を示す分解斜視図である。
【図２】同じく組み立てた足温浴器を駆動ユニットと接続させた使用態様斜視図である。
【図３】実施形態１の足温浴器の変形例を示す分解斜視図である。
【図４】同じく組み立てた足温浴器を駆動ユニットに接続させた使用態様斜視図である。
【図５】本発明の足温浴器の実施形態２を示す分解斜視図である。
【図６】同じく組み立てた足温浴器を駆動ユニットと接続させた使用態様斜視図である。
【図７】実施形態２の足温浴器の変形例を示す分解斜視図である。
【図８】本発明の足温浴器の実施形態３を示す使用態様斜視図である。
【図９】実施形態３の足温浴器の変形例を示す使用態様斜視図である。
【符号の説明】
【００５０】
１２    袋体（足挿入部、被浴部囲繞部）
１３    ジャケット部
１４    浴槽（シール箱体）
１５    組立箱体（形態保持ケース）
１６    天井体
１８、１８Ａ、１８Ｂ    熱媒保持バッグ（熱媒保持部）
２４    駆動ユニット（熱媒循環装置）
３０、３０Ａ、３０Ｂ、３０Ｃ、３０Ｄ    足温浴器
【図１】
2007275414.tif 000003
【図２】
2007275414.tif 000004
【図３】
2007275414.tif 000005
【図４】
2007275414.tif 000006
【図５】
2007275414.tif 000007
【図６】
2007275414.tif 000008
【図７】
2007275414.tif 000009
【図８】
2007275414.tif 000010
【図９】
2007275414.tif 000011